(57)【要約】【目的】  利用者が組立てて使用する従来の球技用ゴールが持つ欠点、即ち、連結軸の空転を防止するとともに、パイプを取付けるとき連結軸が孔から落下してしまうことが無く、取付け作業が容易な球技用ゴールを提供しようとするものである。【構成】  つなぎ部に少なくとも二個所、適宜間隔を有して孔を貫設した継手と、該孔と合致する位置に孔を貫設した、ゴールを形成するパイプと、中央部でボルトによって連結され、両端部寄りにつなぎ部の内壁に当接するリングを設け、且つ両端部にはネジ穴が設けられ、二列に配される連結軸と、  つなぎ部の孔に取付けられた連結軸両端のネジ穴に、パイプの孔から入れられる止めネジとから構成されることを特徴としている。また、二列に配される連結軸の内、いずれか一方のボルト用の孔は、ネジ孔を形成している。【選択図】  図５
2005137844.tif 000002
【特許請求の範囲】
【請求項１】
各角に継手を配し、該継手にパイプをつないで形成される組立て式の球技用ゴールにおいて、少なくとも正面左右角部は、
継手のつなぎ部に少なくとも二個所、適宜間隔を有して孔を貫設し、
該孔と合致する位置に孔を貫設した、ゴールを形成するパイプと、
中央部でボルトによって連結され、両端部寄りに前記つなぎ部の内壁に当接するリングを設け、且つ両端部にはネジ穴が設けられ、二列に配される連結軸と、
つなぎ部の孔に取付けられた連絡軸両端のネジ穴に、パイプの孔から入れられる止めネジとから構成されることを特徴とする球技用ゴール。
【請求項２】
中央部でボルトによって連結され、二列に配される連結軸の内、いずれか一方の連結軸の前記ボルト用の孔は、ネジ孔を形成していることを特徴とする請求項１記載の球技用ゴール。
【発明の詳細な説明】
【発明の詳細な説明】
【技術分野】
【０００１】  本発明は各角に継手を配し、これにパイプをつないで形成される組立て式の球技用ゴールを、利用者が簡単に組立てできる球技用ゴールに関するものである。
【背景技術】
【０００２】  この種の従来品として代表的なものは、継手の意匠は登録第０９８８９８９号、全体的構造的なものは特開２００２−１２６４４５号などが良く知られている。【０００３】  これら従来品の組立て方法は、構造的な相違は種々あっても、基本的には図６に示したように、各角に配された継手にパイプをつないで形成される球技用ゴールであって、継手Ａのつなぎ部Ｇの孔Ｄに連結軸Ｃを嵌挿し、次にゴールを形成するパイプＢをつなぎ部Ｇに取付け、しかる後、ボルトネジＦでパイプＢとつなぎ部Ｇを一体的に固定するものであった。したがって、孔に連結軸を嵌挿してボルトネジで固定するとき、連結軸は空転して、締付けが思うにまかせない。その上、先に、連結軸を孔に嵌挿してからパイプを取付ける方法なので、その取付け時に、連結軸が孔から落下してしまうこともしばしば発生し、取付け作業効率が悪い。等の欠点を有していた。
【発明が解決しようとする課題】
【０００４】  したがって本発明では、従来品が持つ欠点、即ち、連結軸の空転を防止するとともに、パイプを取付けるとき連結軸が孔から落下することが無く、取付け作業が容易な球技用ゴールを提供しようとするものである。
【課題を解決するための手段】
【０００５】  本発明の球技用ゴールは、各角に継手を配し、これにパイプをつないで形成される組立て式の球技用ゴールにおいて、少なくとも正面左右角部は、
つなぎ部に少なくとも二個所、適宜間隔を有して孔を貫設した継手と、
該孔と合致する位置に孔を貫設したゴールを形成するパイプと、
中央部でボルトによって連結され、両端部寄りに前記つなぎ部の内壁に当接するリングを設け、且つ両端部にはネジ穴が設けられ、二列に配される連結軸と、
つなぎ部の孔に取付けられた連結軸両端部の前記ネジ穴に、パイプの孔から嵌着される止めネジとから構成されることを特徴としている。
【０００６】  また、中央部でボルトによって連結された二列の連結軸の内、いずれか一方の連結軸のボルト孔は、ネジ孔として課題を解決するための手段としている。
【発明を実施するための最良の形態】
【０００７】    本発明に係る球技用ゴールは、各角に継手を配し、この継手にパイプをつないで形成される、例えばサッカーゴールなとの組立て式の球技用ゴールに関するものであって、以下、その実施の形態を、実施例に基づき図面を参照して説明する。【０００８】  図１は、ここで実施例とするサッカーゴールを示し、変形四角形の枠体を左右に形成するパイプ８，９，１０，１１と、この対向する枠体を連結するパイプと
正面パイプ５、背面パイプ６、下方奥パイプ７、それらを各角でつなぐ継手１，３，２，４を配して組立て式の球技用ゴールは形成される。【０００９】  図２は、図１の左右側面枠体と、正面パイプ５とを接続する継手１を図示したもので、該継手は、二方向につなぎ部１２，１５を有していて、つなぎ部１２には、二個所に孔１３，１４が適宜間隔位置に貫設され、つなぎ部１５にも、二個所に孔１６，１７適宜間隔位置に貫設されている。【００１０】  図３は、図２を一部切欠断面で示したもので、各つなぎ部に貫設された前記説明の各孔は、ここでは同径となっている。【００１１】  図４は、図２図３で説明の各つなぎ部の各孔に取付けられ、正面パイプ５をつないで固定する連結軸２１，２２と、これを連結するボルト２５と、つなぎ部に正面パイプを固定する止めネジ２４と、連結軸両端部に設けられ、つなぎ部の内壁に当接するリング２３とを示したものである。
連結軸２１は中央部にボルト用の孔２６が貫設され、両端にはネジ穴が設けられるとともに、両端寄り外周には溝２８が周設され且つ、該溝にはつなぎ部の内壁に当接するリング２３が嵌着されている。【００１２】  連結軸２２は中央部にボルト用のネジ孔２７が貫設され、両端にはネジ穴が設けられるとともに、両端寄り外周には溝２９が周設され且つ、該溝にもつなぎ部の内壁に当接するリング２３が嵌着されている。これらの連結軸２１，２２は、ボルト２５によって二列に連結され、上方の連結軸２１はつなぎ部の孔１４，１７に、下方の連結軸２２はつなぎ部の孔１３，１６に嵌挿される。
図中符号２４は、つなぎ部の孔に嵌挿された連結軸両端のネジ穴にねじ込まれてパイプを固定する止めネジを示している。【００１３】  図５は、これまで説明の各部材で組立てた球技用ゴールを説明するもので、つなぎ部１２は組立てが終了した状態を、つなぎ部１５では、止めネジ２４でパイプ９を固定する作業を残すだけの組立て終了直前を示している。
【発明の効果】
【００１４】  本発明は、以上説明のように構成されているので、以下に記載の効果を奏するものである。
【００１５】  連結軸の端部寄りに設けられているリングが、つなぎ部の内壁に当接して、自体の空転を防止し、且つ、該リングは周設された溝に嵌設されているので離脱も無い。
更に、二列に設けられる連結軸は、ボルトによって連結されているので落下も無ければ、パイプを取付けて固定する時、自体が空転することも無い。
その上、更なる大きな効果をも期待できる。即ち、つなぎ部に連結軸を取付けて組込み、且つ、これに止めネジを締め込んで出荷できるようになったので、使用者は従来のように、最初から全ての組立て作業を行なう必要が無くなり、荷が到着したら、該つなぎ部をパイプに嵌挿して止めネジで固定するだけの、極めて簡単な組立て作業で済むようになるなど、従来品で得られない際だった数々の効果を奏する。
【図面の簡単な説明】
【図１】本発明の球技用ゴールの説明図である。
【図２】図１中、正面つなぎ部を取上げ実施例として説明している図である。
【図３】図２の一部切欠断面図である。
【図４】本発明の主要な部材である連結軸と、止めネジ、ボルトの説明図である。
【図５】本発明に係る球技用ゴールの組立て説明図である。
【図６】従来品の最も一般的なつなぎ部の組立て方法を説明する図である。
【符号の説明】
１，２，３，４継手    １２，１５つなぎ部    １３，１４，１６，１７孔
２１，２２連結軸    ２３リング    ２４止めネジ    ２５ボルト
２６孔    ２７ネジ孔    ２８溝
【図１】
2005137844.tif 000003
【図２】
2005137844.tif 000004
【図３】
2005137844.tif 000005
【図４】
2005137844.tif 000006
【図５】
2005137844.tif 000007
【図６】
2005137844.tif 000008